(57)【要約】【課題】電池形状に依存しない低コストの電子時計およびムーブメントを提供する。【解決手段】本電子時計１は、電池収容部２３を有する地板１３と、電池収容部２３に配置される電池１２と、電池１２の厚み方向から見た平面視で電池１２と重なり、且つ、電池１２の厚み方向に垂直な方向から見た側面視で地板１３と電池１２との間に配置されるスペーサー１４と、電池１２の電力で駆動され、時刻を表示する時刻表示部２４と、を有する。【選択図】図３
2020204545.tif 000002
【特許請求の範囲】
【請求項１】
電池収容部を有する地板と、
前記電池収容部に配置される電池と、
前記電池の厚み方向から見た平面視で前記電池と重なり、且つ、前記電池の厚み方向に垂直な方向から見た側面視で前記地板と前記電池との間に配置されるスペーサーと、
前記電池の電力で駆動され、時刻を表示する時刻表示部と、
を有することを特徴とする電子時計。
【請求項２】
回路基板と、前記回路基板と電気的に接続されるリード端子と、を有し、
前記スペーサーは、前記リード端子と前記電池とを電気的に接続する導電部を有することを特徴とする請求項１に記載の電子時計。
【請求項３】
前記スペーサーは、非導電部と前記導電部とで構成されていることを特徴とする請求項２に記載の電子時計。
【請求項４】
前記地板に形成された地板側係合部と、
前記スペーサーに形成され、前記地板側係合部に係合するスペーサー側係合部と、
を有することを特徴とする請求項１乃至請求項３の何れか一項に記載の電子時計。
【請求項５】
前記地板側係合部は、凹形状であり、
前記スペーサー側係合部は、凸形状であることを特徴とする請求項４に記載の電子時計。
【請求項６】
前記スペーサーは、第一領域と、前記第一領域より厚い第二領域と、を有し、
前記第一領域は、前記平面視で前記電池と重なることを特徴とする請求項１乃至請求項５の何れか一項に記載の電子時計。
【請求項７】
底部と側面部とを有する凹形状の電池収容部を有する地板と、
前記電池収容部の前記底部に接触するように配置されるスペーサーと、
前記電池収容部に電池が配置された場合に前記電池の電力で駆動され、前記地板に配置されるステップモーターと、
を有することを特徴とするムーブメント。
【発明の詳細な説明】
【技術分野】
【０００１】
本発明は、電子時計およびムーブメントに関する。
【背景技術】
【０００２】
従来、一種類の形状の電池専用となる電池支持台を地板に有する電子時計が知れられている。特許文献１には、液晶セル支持枠に電池支持台を設け、電池の厚みが変更されても、電池支持台の肉を削るか加えるかして対応することで、種々の厚みの電池に対応することができる構造が開示されている。
【先行技術文献】
【特許文献】
【０００３】
【特許文献１】特開昭６０−１３８４８６号公報
【発明の概要】
【発明が解決しようとする課題】
【０００４】
しかしながら、特許文献１に記載の時計構造では、電池支持台が、液晶セル支持枠と一体になっているので、厚みの異なる電池に変更する場合、液晶セル支持枠の形状自体を変更する必要がある。そのため、液晶セル支持枠を形成する金型を、厚みの異なる電池ごとに作成する必要があり、製造コストが高くなるという課題があった。
【課題を解決するための手段】
【０００５】
本願の電子時計は、電池収容部を有する地板と、前記電池収容部に配置される電池と、前記電池の厚み方向から見た平面視で前記電池と重なり、且つ、前記電池の厚み方向に垂直な方向から見た側面視で前記地板と前記電池との間に配置されるスペーサーと、前記電池の電力で駆動され、時刻を表示する時刻表示部と、を有することを特徴とする。
【０００６】
上記の電子時計において、回路基板と、前記回路基板と電気的に接続されるリード端子と、を有し、前記スペーサーは、前記リード端子と前記電池とを電気的に接続する導電部を有することが好ましい。
【０００７】
上記の電子時計において、前記スペーサーは、非導電部と前記導電部とで構成されていることが好ましい。
【０００８】
上記の電子時計において、前記地板に形成された地板側係合部と、前記スペーサーに形成され、前記地板側係合部に係合するスペーサー側係合部と、を有することが好ましい。
【０００９】
上記の電子時計において、前記地板側係合部は、凹形状であり、前記スペーサー側係合部は、凸形状であることが好ましい。
【００１０】
上記の電子時計において、前記スペーサーは、第一領域と、前記第一領域より厚い第二領域と、を有し、前記第一領域は、前記平面視で前記電池と重なることが好ましい。
【００１１】
本願のムーブメントは、底部と側面部とを有する凹形状の電池収容部を有する地板と、前記電池収容部の前記底部に接触するように配置されるスペーサーと、前記電池収容部に電池が配置された場合に前記電池の電力で駆動され、前記地板に配置されるステップモーターと、を有することを特徴とする。
【図面の簡単な説明】
【００１２】
【図１】実施形態１に係る電子時計を示す正面図。
【図２】実施形態１に係る電子時計を示す断面図。
【図３】図２中のＡ部の拡大図。
【図４】実施形態１に係るスペーサーの斜視図。
【図５】実施形態２に係る電子時計の電池収容部を示す断面図。
【図６】実施形態３に係る電子時計の電池収容部を示す断面図。
【図７】実施形態４に係る電子時計のスペーサーを示す平面図。
【図８Ａ】変形例１に係るスペーサーを示す平面図。
【図８Ｂ】変形例２に係るスペーサーを示す平面図。
【図８Ｃ】変形例３に係るスペーサーを示す平面図。
【図８Ｄ】変形例４に係るスペーサーを示す平面図。
【図９】実施形態５に係る電子時計の電池収容部を示す平面図。
【図１０】実施形態５に係る電子時計の電池収容部を示す断面図。
【発明を実施するための形態】
【００１３】
（実施形態１）
以下、本実施形態に係る電子時計１について、図面に基づいて説明する。
図１は、電子時計１の正面図である。図２は、電子時計１の断面図である。なお、図１は、電池１２の厚み方向から見た図であり、図２は、電池１２の厚み方向に垂直な方向から見た図である。
電子時計１は、外装ケース２と、裏蓋９と、カバーガラス５とを備えている。外装ケース２は、金属で形成された円筒状のケース本体２５に、セラミックまたは金属で形成されたベゼル２６が嵌合されて構成されている。このベゼル２６の内周側に、プラスチックで形成された円環状のダイヤルリング６を介して、円盤状の文字板３が配置されている。外装ケース２の側面には、３時方向の位置にリューズ７が設けられている。なお、電子時計１は、使用者の腕に装着される腕時計である。
【００１４】
電子時計１は、図２に示すように、金属製のケース本体２５の２つの開口のうち、表面側の開口は、ベゼル２６を介してカバーガラス５で塞がれており、裏面側の開口は、金属で形成された裏蓋９で塞がれている。
ケース本体２５および裏蓋９には、真鍮、ステンレス鋼、チタンなどの金属材料が利用される。なお、ケース本体２５には、樹脂などの金属以外の材料が利用されてもよい。
【００１５】
次に、電子時計１の外装ケース２に内蔵される内部構造について説明する。
図２に示すように、外装ケース２、裏蓋９、カバーガラス５で囲まれた空間内には、ダイヤルリング６と、文字板３を含む時刻表示部２４と、太陽電池２８と、ムーブメント２７と、が収納されている。
【００１６】
ダイヤルリング６は、外周端が、ベゼル２６の内周面に接触しているとともに、一面がカバーガラス５と並行している平板部分と、文字板３側へ傾斜した傾斜部分を備えている。ダイヤルリング６は、平面視においては円環状となっており、断面視においてはすり鉢形状となっている。
【００１７】
時刻表示部２４は、電池１２の電力で駆動され、時刻を表示するものであり、プラスチックなどの光透過性の材料で形成された文字板３と、カバーガラス５との間に指針である時針４Ａ、分針４Ｂ、および秒針４Ｃを備え、ダイヤルリング６の内側に配置されている。文字板３の裏蓋９側には、光発電を行う太陽電池２８が備えられている。
【００１８】
太陽電池２８と裏蓋９との間には、ムーブメント２７が配置されている。ムーブメント２７には、従来から電子時計に用いられているものが利用できる。本実施形態では、樹脂等の非導電性の材料で形成された地板１３に、電池１２を収容する電池収容部２３と、電池収容部２３に配置されるスペーサー１４と、電池１２の電力で駆動される図示しないステップモーターと、ステップモーターによって駆動される図示しない輪列と、を備えたムーブメント２７が利用される。電池収容部２３には、太陽電池２８の発電電力を充電する電池１２が収容される。電池１２が搭載されたムーブメント２７は、ステップモーターおよび輪列を介して、図１に示す時針４Ａ、分針４Ｂ、および秒針４Ｃを駆動する。なお、時針４Ａ、分針４Ｂ、および秒針４Ｃは、文字板３の平面中心に設けられた指針軸３０に取り付けられ、また、ムーブメント２７には、巻真８が取り付けられ、巻真８の端部には、リューズ７が取り付けられている。
【００１９】
次に、電池１２が収容される電池収容部２３について、図３および図４を参照して説明する。
図３は、図２中のＡ部の拡大図である。なお、図３は、図２の上下が逆転した図である。つまり、カバーガラス５側を下、裏蓋９側を上として説明する。図４は、実施形態１に係るスペーサー１４の斜視図である。
電池収容部２３は、図３に示すように、地板１３の裏蓋９側に開口する凹部３１に設けられており、電池収容部２３内で、電池１２とスペーサー１４とが裏蓋９側から電池１２、スペーサー１４の順で、電池１２の厚み方向から見た、又は、文字板３の面と垂直な方向から見た平面視で重ねて収容されている。つまり、電池収容部２３は、側面部３２および底部３３を有する凹形状に形成されており、底部３３に接するようにスペーサー１４が配置されている。そのため、スペーサー１４の厚みを変更することにより、厚みの異なる電池１２を電池収容部２３に収容することができる。また、電池収容部２３内の電池１２の裏蓋９側の面は、電池１２と回路基板１１に形成された配線との導通をとるための板バネ形状のリード端子１０によって、保持され、電気的に接続されている。リード端子１０が電池１２を裏蓋９とは反対側のカバーガラス５側に押し上げる板バネ形状であるため、ムーブメント２７に外部からの衝撃が加わった場合でも電池１２が電池収容部２３に保持される。さらに、電池１２の厚み方向に垂直な方向から見た、又は、文字板３の面と平行な方向から見た側面視で、電池１２の側面と地板１３の側面部３２との間に、リード端子１０と対極となる側面導通用のリード端子１５が配置されている。リード端子１５は、電池１２の側面を押圧する板バネ形状をしており、電池１２の側面とリード端子１５とを電気的に接続することができる。なお、リード端子１５は、他端が回路基板１１に形成された配線に電気的に接続されている。
【００２０】
スペーサー１４は、図３および図４に示すように、中央部に電池１２側とは反対側に突出する凸形状のスペーサー側係合部１６を有している。また、地板１３には、スペーサー１４を電池収容部２３に配置した際、凸形状のスペーサー側係合部１６が係合するように、凹形状の地板側係合部２２が形成されている。そのため、電池収容部２３内でスペーサー１４が移動することによって生じる電池１２の側面とリード端子１５との接触不良を低減することができる。
【００２１】
スペーサー１４の材料は、アクリルニトリル、ブタジエン、スチレンの共重合体などのＡＢＳ樹脂や、導電材料、衝撃緩衝材などである。そのため、低コストでスペーサー１４を作成することができる。
【００２２】
以上述べたように、実施形態１に係る電子時計１の電池収納構造によれば、以下の効果を得ることができる。
電池１２と重なる位置で、地板１３と電池１２との間にスペーサー１４が配置されているので、厚みの異なる電池１２を用いてもスペーサー１４の厚みを変更するだけで、電池１２を電池収容部２３に収容することができる。そのため、厚みの異なる電池１２に対応するために、電池収容部２３を構成する地板１３の金型を製作する必要がなくなり、低コスト化を図ることができる。また、地板１３の金型を変更しないことで品質を維持することができる。
【００２３】
また、地板１３に凹形状の地板側係合部２２が形成され、スペーサー１４に地板側係合部２２に係合する凸形状のスペーサー側係合部１６が形成されているため、地板１３とスペーサー１４とを容易に係合することができる。これにより、スペーサー１４の移動が規制され、電池１２の位置が安定し、電池１２とリード端子１５とが導通不良を起こすことを低減することができる。
【００２４】
（実施形態２）
次に、実施形態２に係る電子腕時計のスペーサー１４Ａについて、図５を参照して説明する。
図５は、実施形態２に係る電子時計の電池収容部を示す断面図である。
【００２５】
なお、前述した実施形態１との相違点を中心に説明し、同様の事項はその説明を省略する。また、本実施形態は、リード端子１５Ａが電池１２の下面、すなわち電池１２のカバーガラス５側の面と導通する下面導通用のリード端子１５Ａであることと、スペーサー１４Ａが下面導通用のリード端子１５Ａと電池１２とを電気的に接続する導電部１７を有していることと、地板１３Ａの底部３３にカバーガラス５側と裏蓋９側とを貫通する開口部３４が設けられること以外は、実施形態１と同様である。
【００２６】
本実施形態に係るスペーサー１４Ａは、図５に示すように、スペーサー１４Ａの中央部に厚み方向に貫通する導電部１７と非導電部２９とで構成されている。非導電部２９は、前述のスペーサー１４と同様の材料である。対して導電部１７は、電池１２との導通をとるため、金属などの導電性の材料を用いている。導電部１７と下面導通用のリード端子１５Ａとを接し、電池１２と導電部１７とを接することで、リード端子１５Ａと電池１２とを電気的に接続することができる。なお、リード端子１５Ａは、スペーサー１４Ａの導電部１７や電池１２を押圧する板バネ形状をしており、リード端子１５Ａとスペーサー１４Ａの導電部１７と電池１２とを電気的に接続することができる。また、リード端子１５Ａは、他端が回路基板１１に形成された配線に電気的に接続されている。また、リード端子１５Ａが導電部１７と接触できるように、地板１３Ａの底部３３にカバーガラス５側と裏蓋９側とを貫通する開口部３４が設けられている。これにより、電池１２の厚みが変わった際、導電部１７のあるスペーサー１４Ａを配置することで、下面導通用のリード端子１５Ａの設計変更をする必要がない構造とすることができる。
【００２７】
なお、本実施形態では、スペーサー１４Ａの中央部に導電部１７が設けられているが、これに限定される必要はなく、スペーサー１４Ａの中央部以外の側面側に近い領域に導電部１７が設けられていても構わない。また、スペーサー１４Ａ全体を導電性の材料で形成しても良い。
【００２８】
以上述べたように、スペーサー１４Ａに導電部１７を設けた構成とすることで、実施形態１での効果に加えて以下の効果を得ることができる。
スペーサー１４Ａに下面導通用のリード端子１５Ａと電池１２とを電気的に接続する導電部１７が設けられているので、厚みの異なる電池１２に対応するために、リード端子１５Ａの構造を変更する必要がなくなり、低コスト化を図ることができる。
また、スペーサー１４Ａが非導電部２９と導電部１７とで構成されているので、導電部１７において、下面導通用のリード端子１５Ａと電池１２とを電気的に接続することができ、非導電部２９を設けることで、軽量化を図ることができる。
【００２９】
（実施形態３）
次に、実施形態３に係る電子腕時計のスペーサー１４Ｂについて、図６を参照して説明する。
図６は、実施形態３に係る電子時計の電池収容部を示す断面図である。
【００３０】
なお、前述した実施形態１との相違点を中心に説明し、同様の事項はその説明を省略する。また、本実施形態は、電池１２Ａの下面と導通をとるリード端子１５Ａと、スペーサー１４Ｂが第一領域１８と、第一領域１８より厚い第二領域１９と、中央部に導電部１７と、地板１３Ａの底部３３にカバーガラス５側と裏蓋９側とを貫通する開口部３４と、を有していること以外は、実施形態１と同様である。
【００３１】
本実施形態に係るスペーサー１４Ｂは、図６に示すように、第一領域１８と、第一領域より厚い第二領域１９と、中央部に導電部１７と、を有し、第一領域１８と導電部１７とが平面視で電池１２Ａと重なるように配置されている。また、第二領域１９が電池１２Ａの側面と凹部３１を構成する側面部３２との間に配置されるため、径の小さい電池１２Ａでも位置ずれによる下面導通用のリード端子１５Ａとの接触不良を低減することができる。また、リード端子１５Ａが導電部１７と接触できるように、地板１３Ａの底部３３にカバーガラス５側と裏蓋９側とを貫通する開口部３４が設けられている。これにより、電池１２Ａの厚みが変わった際、導電部１７のあるスペーサー１４Ｂを配置することで、下面導通用のリード端子１５Ａの設計変更をする必要がない構造とすることができる。
【００３２】
以上述べたように、スペーサー１４Ｂに第一領域１８と、第一領域より厚い第二領域１９と、を設けた構成とすることで、実施形態１での効果に加えて以下の効果を得ることができる。
第二領域１９よりも厚みが薄い第一領域１８に電池１２Ａを収納することで、径の小さい電池１２Ａでも径方向への移動を規制することができ、径寸法の異なる電池１２Ａに対応するために、電池収容部２３を構成する地板１３Ａの金型を作成する必要がなくなり、低コスト化を図ることができる。
【００３３】
（実施形態４）
次に、実施形態４に係る電子腕時計のスペーサー１４Ｃについて、図７を参照して説明する。
図７は、実施形態４に係る電子時計のスペーサーを示す平面図である。
【００３４】
なお、前述した実施形態１との相違点を中心に説明し、同様の事項はその説明を省略する。また、本実施形態は、スペーサー１４Ｃのスペーサー側係合部１６Ｃの形状が異なること以外は、実施形態１と同様である。
【００３５】
本実施形態に係るスペーサー１４Ｃは、図７に示すように、凸形状のスペーサー側係合部１６Ｃの外周部に、外周方向に突出する凸部１７Ｃが設けられている。地板１３に、凸形状のスペーサー側係合部１６Ｃに対応する凹形状の地板側係合部を形成することで、スペーサー１４Ｃを回転方向に動くことを規制することができる。また、スペーサー１４Ｃの周方向の回転を規制することで、スペーサー１４Ｃが回ることで発生するショートや、側面導通用のリード端子１５の破壊を低減することができる。
【００３６】
なお、スペーサー１４Ｃの係合部の位置や形状は、上述した実施形態に限定されず、上述した実施形態に種々の変更や改良などを加えることが可能である。以下に、実施形態４に係るスペーサー１４Ｃの変形例を図８Ａ、図８Ｂ、図８Ｃ、および図８Ｄを参照して説明する。
【００３７】
（変形例１）
図８Ａは、変形例１に係るスペーサー１４Ｄを示す平面図である。
本変形例では、図８Ａに示すように、凸形状のスペーサー側係合部１６Ｄがスペーサー１４Ｄの中央部から側面側に偏心した位置に配置されている。地板１３の対応する位置に凹形状の地板側係合部を形成することで、スペーサー１４Ｄを回転方向に動くことを規制することができる。
【００３８】
（変形例２）
図８Ｂは、変形例２に係るスペーサー１４Ｅを示す平面図である。
本変形例では、図８Ｂに示すように、スペーサー１４Ｅの外周部に、切欠き形状のスペーサー側係合部１６Ｅが設けられており、地板１３に、切欠き形状のスペーサー側係合部１６Ｅに対応するために、凹部内周側に突出する凸部を有する凹形状の地板側係合部を形成することで、スペーサー１４Ｅを回転方向に動くことを規制することができる。
【００３９】
（変形例３）
図８Ｃは、変形例３に係るスペーサー１４Ｆを示す平面図である。
本変形例では、図８Ｃに示すように、スペーサー１４Ｆの中央部に、楕円形状で凸形状のスペーサー側係合部１６Ｆが設けられており、地板１３に、楕円形状で凸形状のスペーサー側係合部１６Ｆに対応した楕円形状で凹形状の地板側係合部を形成することで、スペーサー１４Ｆを回転方向に動くことを規制することができる。
【００４０】
（変形例４）
図８Ｄは、変形例４に係るスペーサー１４Ｇを示す平面図である。
本変形例では、図８Ｄに示すように、スペーサー１４Ｇの外周部に、外周方向に突出する凸形状のスペーサー側係合部１６Ｇが設けられており、地板１３に、外周方向に突出する凸形状のスペーサー側係合部１６Ｇに対応した凹形状の地板側係合部を形成することで、スペーサー１４Ｇを回転方向に動くことを規制することができる。
【００４１】
以上述べたように、変形例１、変形例２、変形例３、および変形例４に係るスペーサー１４Ｄ，１４Ｅ，１４Ｆ，１４Ｇとしても、実施形態４と同様の効果を得ることができる。
【００４２】
（実施形態５）
次に、実施形態５に係る電子腕時計のスペーサー１４Ｈについて、図９および図１０を参照して説明する。
図９は、実施形態５に係る電子時計の電池収容部を示す平面図である。図１０は、実施形態５に係る電子時計の電池収容部を示す断面図である。なお、図９は、電池収容部２３Ｈをカバーガラス５側から見た図である。
【００４３】
なお、前述した実施形態１との相違点を中心に説明し、同様の事項はその説明を省略する。また、本実施形態は、リード端子１５Ｈが電池１２の下面に導通する下面導通用のリード端子１５Ｈであることと、スペーサー１４Ｈの形状が異なることと、地板１３Ｈに切欠き部５２が設けられること以外は、実施形態１と同様である。
【００４４】
本実施形態に係るスペーサー１４Ｈは、図９および図１０に示すように、電池１２の下面導通用のリード端子１５Ｈ側に、リード端子１５Ｈと接触しないように、外周側に開口する切欠き部５１が設けられている。また、地板１３Ｈは、スペーサー１４Ｈと同様の外周側に開口する切欠き部５２が設けられている。そのため、リード端子１５Ｈと電池１２の下面とを接触させることができる。
【００４５】
以上述べたように、スペーサー１４Ｈに外周側に開口する切欠き部５１を設けた構成とすることで、以下の効果を得ることができる。
電池１２と重なる位置で、地板１３Ｈと電池１２との間にスペーサー１４Ｈが配置されているので、厚みの異なる電池１２を用いてもスペーサー１４Ｈの厚みを変更するだけで、電池１２を電池収容部２３Ｈに収容することができる。そのため、厚みの異なる電池１２に対応するために、電池収容部２３Ｈを構成する地板１３Ｈの金型を製作する必要がなくなり、低コスト化を図ることができる。また、地板１３Ｈの金型を変更しないことで品質を維持することができる。
また、本実施形態では、リード端子１５Ｈは、地板１３Ｈから電池１２方向に突出し、側面視でスペーサー１４Ｈと重なるので、スペーサー１４Ｈと接触したり、スペーサー１４Ｈによって変形したりすることで、リード端子１５Ｈの破損やショートが生じる可能性がある。しかし、さらに、実施形態４および変形例１〜４のように、スペーサー１４Ｈおよび地板１３Ｈをスペーサー１４Ｈの回転を規制する形状とすることで、リード端子１５Ｈが突出していることで生じる、リード端子１５Ｈの破損やショートを低減することができる。
【００４６】
以上、本実施形態に係る電子時計を実施形態１〜実施形態５に基づいて説明したが、これに限定されるものではなく、各部の構成は、同様の機能を有する任意の構成のものに置換することができる。例えば、太陽電池２８を設け、電池１２，１２Ａが太陽電池２８で充電されることとしたが、電池１２，１２Ａは、充電される二次電池ではなく、一次電池としてもよい。また、スペーサー１４〜１４Ｈと地板１３，１３Ａ，１３Ｈとが接着剤などで固定されていてもよい。
また、本実施形態では、指針を有するアナログ式の電子時計に基づいて説明したが、液晶等の表示パネルを有するデジタル式の電子時計に本発明を適用してもよい。
【００４７】
以下に、上述した実施形態から導き出される内容を記載する。
【００４８】
電子時計は、電池収容部を有する地板と、前記電池収容部に配置される電池と、前記電池の厚み方向から見た平面視で前記電池と重なり、且つ、前記電池の厚み方向に垂直な方向から見た側面視で前記地板と前記電池との間に配置されるスペーサーと、前記電池の電力で駆動され、時刻を表示する時刻表示部と、を有することを特徴とする。
【００４９】
この構成によれば、電池と重なる位置で、地板と電池との間にスペーサーが配置されているので、厚みの異なる電池を用いてもスペーサーの厚みを変更するだけで、電池を電池収容部に収容することができる。そのため、厚みの異なる電池に対応するために、電池収容部を構成する地板の金型を作成する必要がなくなり、低コスト化を図ることができる。
【００５０】
上記の電子時計において、回路基板と、前記回路基板と電気的に接続されるリード端子と、を有し、前記スペーサーは、前記リード端子と前記電池とを電気的に接続する導電部を有することが好ましい。
【００５１】
この構成によれば、スペーサーにリード端子と電池とを電気的に接続する導電部が設けられているので、厚みの異なる電池に対応するために、リード端子の構造を変更する必要がなくなり、低コスト化を図ることができる。
【００５２】
上記の電子時計において、前記スペーサーは、非導電部と前記導電部とで構成されていることが好ましい。
【００５３】
この構成によれば、スペーサーが非導電部と導電部とで構成されているので、導電部において、リード端子と電池とを電気的に接続することができ、非導通部を設けることで、軽量化を図ることができる。
【００５４】
上記の電子時計において、前記地板に形成された地板側係合部と、前記スペーサーに形成され、前記地板側係合部に係合するスペーサー側係合部と、を有することが好ましい。
【００５５】
この構成によれば、地板に地板側係合部が形成され、スペーサーに地板側係合部に係合するスペーサー側係合部が形成されているため、地板とスペーサーとを係合することができ、電池収容部内でスペーサーが動かず、電池とリード端子の導通不良の発生を低減できる。
【００５６】
上記の電子時計において、前記地板側係合部は、凹形状であり、前記スペーサー側係合部は、凸形状であることが好ましい。
【００５７】
この構成によれば、地板側係合部が凹形状であり、スペーサー側係合部は凸形状であるため、地板とスペーサーとを容易に係合することができる。
【００５８】
上記の電子時計において、前記スペーサーは、第一領域と、前記第一領域より厚い第二領域と、を有し、前記第一領域は、前記平面視で前記電池と重なることが好ましい。
【００５９】
この構成によれば、第二領域よりも厚みが薄い第一領域に電池を収納することで、径の小さい電池でも径方向への移動を規制することができ、径寸法の異なる電池に対応するために、電池収容部を構成する地板の金型を作成する必要がなくなり、低コスト化を図ることができる。
【００６０】
ムーブメントは、底部と側面部とを有する凹形状の電池収容部を有する地板と、前記電池収容部の前記底部に接触するように配置されるスペーサーと、前記電池収容部に電池が配置された場合に前記電池の電力で駆動され、前記地板に配置されるステップモーターと、を有することを特徴とする。
【００６１】
この構成によれば、電池収容部の底部に接触するようにスペーサーが配置されるので、厚みの異なる電池を用いてもスペーサーの厚みを変更するだけで、電池を電池収容部に収容することができる。そのため、厚みの異なる電池に対応するために、電池収容部を構成する地板の金型を作成する必要がなくなり、低コスト化を図ることができる。
【符号の説明】
【００６２】
１…電子時計、２…外装ケース、３…文字板、４Ａ…時針、４Ｂ…分針、４Ｃ…秒針、５…カバーガラス、６…ダイヤルリング、７…リューズ、８…巻真、９…裏蓋、１０…リード端子、１１…回路基板、１２…電池、１３…地板、１４…スペーサー、１５…リード端子、１６…スペーサー側係合部、１７…導電部、１８…第一領域、１９…第二領域、２２…地板側係合部、２３…電池収容部、２４…時刻表示部、２５…ケース本体、２６…ベゼル、２７…ムーブメント、２８…太陽電池、２９…非導電部、３０…指針軸、３１…凹部、３２…側面部、３３…底部。
【図１】
2020204545.tif 000003
【図２】
2020204545.tif 000004
【図３】
2020204545.tif 000005
【図４】
2020204545.tif 000006
【図５】
2020204545.tif 000007
【図６】
2020204545.tif 000008
【図７】
2020204545.tif 000009
【図８Ａ】
2020204545.tif 000010
【図８Ｂ】
2020204545.tif 000011
【図８Ｃ】
2020204545.tif 000012
【図８Ｄ】
2020204545.tif 000013
【図９】
2020204545.tif 000014
【図１０】
2020204545.tif 000015